(57)【要約】【課題】入力された映像を、３次元眼鏡を通じて見るための方式の映像に変換することができる映像変換装置、映像表示装置、テレビ受像装置、映像変換方法及びコンピュータプログラムを提供する。【解決手段】入力された２次元映像、及び複数の映像を１フレームで構成若しくは時分割した映像により構成する所定の方式であって複数の映像に視差がある映像を、３次元眼鏡を通じて見るための方式の映像に変換するにあたり、３次元眼鏡を通じて見るための方式の映像を出力するよう設定した場合には、入力された映像を変換部により変換した、前記３次元眼鏡を通じて見るための方式の映像を出力し、２次元映像を出力するよう設定した場合には、２次元映像を出力するよう切替を行う。【選択図】図３
2013098878.tif 000002
【特許請求の範囲】
【請求項１】
入力された２次元映像、及び複数の映像を１フレームで構成若しくは時分割した映像により構成する所定の方式であって複数の映像に視差がある映像を、３次元眼鏡を通じて見るための方式の映像に変換して出力する映像変換装置において、
２次元映像又は３次元眼鏡を通じて見るための方式の映像のいずれを出力するかの設定を切り替える映像切替部と、
入力された２次元映像、及び複数の映像を１フレームで構成若しくは時分割した映像により構成する所定の方式であって複数の映像に視差のある映像を、３次元眼鏡を通じて見るための方式の映像に変換する変換部と、
前記映像切替部が３次元眼鏡を通じて見るための方式の映像を出力するよう設定した場合には、前記入力された２次元映像、及び複数の映像を１フレームで構成若しくは時分割した映像を前記変換部により変換した、前記３次元眼鏡を通じて見るための方式の映像を出力し、２次元映像を出力するよう設定した場合には、２次元映像を出力する出力部とを備える
ことを特徴とする映像変換装置。
【請求項２】
入力された映像が２次元映像か、複数の映像を１フレームで構成若しくは時分割した映像により構成する所定の方式であって、複数の映像に視差がある映像かを判定する判定部をさらに備え、
前記変換部は、前記判定部により２次元映像と判定された映像を、前記３次元眼鏡を通じて見るための方式の映像であって、構成する複数の映像に視差がない映像に変換するよう構成してある
ことを特徴とする請求項１に記載の映像変換装置。
【請求項３】
前記判定部は映像の所定の時点からの時間に基づいて判定するよう構成してある
ことを特徴とする請求項２に記載の映像変換装置。
【請求項４】
前記入力された２次元映像、及び複数の映像を１フレームで構成若しくは時分割した映像は放送用映像であり、前記判定部は入力された映像の形式が切り替わった時点から所定時間の範囲か否かによって判定するよう構成してある
ことを特徴とする請求項３に記載の映像変換装置。
【請求項５】
前記入力された２次元映像、及び複数の映像を１フレームで構成若しくは時分割した映像は記録媒体に記録された映像を再生した映像であり、前記判定部は入力された映像が開始した時点から所定時間の範囲か否かによって判定するよう構成してある
ことを特徴とする請求項３に記載の映像変換装置。
【請求項６】
請求項１から５のいずれかに記載の映像変換装置と、
該映像変換装置により出力された前記２次元映像及び前記３次元眼鏡を通じて見るための方式の映像を表示する表示部とを備える
ことを特徴とする映像表示装置。
【請求項７】
テレビ放送波の映像信号が入力されるチューナ部と、
前記チューナ部に入力された前記テレビ放送波の映像信号に係る映像の変換を行い、前記２次元映像及び前記３次元眼鏡を通じて見るための方式の映像を表示する請求項６に記載の映像表示装置と
を備えることを特徴とするテレビ受像装置。
【請求項８】
入力された２次元映像、及び複数の映像を１フレームで構成若しくは時分割した映像により構成する所定の方式であって複数の映像に視差がある映像を、２次元映像又は３次元眼鏡を通じて見るための方式の映像に変換して出力する映像変換方法において、
２次元映像又は３次元眼鏡を通じて見るための方式の映像のいずれを出力するかの設定を切り替える映像切替ステップと、
入力された２次元映像、及び複数の映像を１フレームで構成若しくは時分割した映像により構成する所定の方式であって複数の映像に視差がある映像を、３次元眼鏡を通じて見るための方式の映像に変換する変換ステップと、
前記映像切替ステップが３次元眼鏡を通じて見るための方式の映像を出力するよう設定した場合には、前記入力された映像を前記変換ステップにより変換した、前記３次元眼鏡を通じて見るための方式の映像を出力し、２次元映像を出力するよう設定した場合には、２次元映像を出力する出力ステップとを備える
ことを特徴とする映像変換方法。
【請求項９】
コンピュータに入力された２次元映像、及び複数の映像を１フレームで構成若しくは時分割した映像により構成する所定の方式であって複数の映像に視差がある映像を、２次元映像又は３次元眼鏡を通じて見るための方式の映像に変換して出力するコンピュータプログラムにおいて、
２次元映像又は３次元眼鏡を通じて見るための方式の映像のいずれを出力するかの設定を切り替える映像切替ステップと、
入力された２次元映像、及び複数の映像を１フレームで構成若しくは時分割した映像により構成する所定の方式であって複数の映像に視差がある映像を、３次元眼鏡を通じて見るための方式の映像に変換する変換ステップと、
前記映像切替ステップが３次元眼鏡を通じて見るための方式の映像を出力するよう設定した場合には、前記入力された映像を前記変換ステップにより変換した、前記３次元眼鏡を通じて見るための方式の映像を出力し、２次元映像を出力するよう設定した場合には、２次元映像を出力する出力ステップとをコンピュータに実行させる
ことを特徴とするコンピュータプログラム。 
【発明の詳細な説明】
【技術分野】
【０００１】
本発明は、２次元映像を３次元映像と同じ形式の映像に変換する映像変換装置、映像表示装置、テレビ受像装置、映像変換方法及びコンピュータプログラムに関する。
【背景技術】
【０００２】
映像は２次元映像と３次元映像とが混在する場合がある。ここで３次元眼鏡を用いて３次元映像を見る方式には、フィールドシーケンシャル方式と呼ばれる、右目用映像と左目用映像を分けて表示する技術が採用されている。フィールドシーケンシャル方式では、右目用映像と左目用映像とが重なるクロストークを防止する必要があるため、例えば液晶テレビを表示部に用いたものではバックライトを制御して画面が黒色となる不点灯期間を設ける必要がある。従って３次元映像は２次元映像と比較して輝度が弱く、３次元眼鏡を装着したままで２次元映像と３次元映像とが切り替わることによる輝度が変化するので眼精疲労の原因となる。一方、映像が切り替わるごとに３次元眼鏡を着脱することは煩わしい。      
【０００３】
そこで、特許文献１には、２次元画像を３次元画像に変換することにより視覚的な変化を少なくし、眼精疲労を軽減させる画像装置が記載されている。しかし、特許文献１に記載の画像装置は、スライドショーでの映像を前提としており、放送用の映像又は記録媒体に記録された映像を３次元眼鏡を通じて見るための方式の映像に変換することはできないという問題があった。
【先行技術文献】
【特許文献】
【０００４】
【特許文献１】特開２００８−５２０３号公報
【発明の概要】
【発明が解決しようとする課題】
【０００５】
本発明はこうした事情に鑑みてなされたものであり、入力された２次元映像、及び複数の映像を１フレームで構成若しくは時分割した映像により構成する所定の方式であって複数の映像に視差のある映像を、３次元眼鏡を通じて見るための方式の映像に変換することができる映像変換装置、映像変換装置によって変換された映像を表示する映像表示装置、映像変換装置によって変換されたテレビ放送波の映像を表示するテレビ受像装置、映像変換方法及びコンピュータプログラムの提供を目的とする。
【課題を解決するための手段】
【０００６】
本発明に係る映像変換装置は、入力された２次元映像、及び複数の映像を１フレームで構成若しくは時分割した映像により構成する所定の方式であって複数の映像に視差がある映像を、３次元眼鏡を通じて見るための方式の映像に変換して出力する映像変換装置において、２次元映像又は３次元眼鏡を通じて見るための方式の映像のいずれを出力するかの設定を切り替える映像切替部と、入力された２次元映像、及び複数の映像を１フレームで構成若しくは時分割した映像により構成する所定の方式であって複数の映像に視差のある映像を、３次元眼鏡を通じて見るための方式の映像に変換する変換部と、前記映像切替部が３次元眼鏡を通じて見るための方式の映像を出力するよう設定した場合には、前記入力された２次元映像、及び複数の映像を１フレームで構成若しくは時分割した映像を前記変換部により変換した、前記３次元眼鏡を通じて見るための方式の映像を出力し、２次元映像を出力するよう設定した場合には、２次元映像を出力する出力部とを備えることを特徴とする。
【０００７】
本発明によれば、３次元眼鏡を通じて見る方式の映像を表示するか又は２次元映像を表示するかを、映像を見る者が決定することができる。
【０００８】
本発明に係る映像変換装置は、入力された映像が２次元映像か、複数の映像を１フレームで構成若しくは時分割した映像により構成する所定の方式であって、複数の映像に視差がある映像かを判定する判定部をさらに備え、前記変換部は、前記判定部により２次元映像と判定された映像を、前記３次元眼鏡を通じて見るための方式の映像であって、構成する複数の映像に視差がない映像に変換するよう構成してあることを特徴とする。
【０００９】
本発明によれば、３次元眼鏡をかけて映像を見る者に２次元映像及び３次元映像の輝度を同等に感じさせ、映像を見る者が疲労感なく２次元映像及び３次元映像が連続する映像を見ることができる。また、２次元映像と判定された映像を、３次元眼鏡を通じて見るための方式の映像であって、構成する複数の映像に視差がない映像に変換するので、映像に視差を設けるための処理を必要とせず、簡易な処理で疲労感の無い映像に変換することができる。
【００１０】
本発明に係る映像変換装置は、前記判定部は映像の所定の時点からの時間に基づいて判定するよう構成してあることを特徴とする。
【００１１】
本発明によれば、映像形式の判定をより正確に行うことができる。
【００１２】
本発明に係る映像変換装置は、前記入力された２次元映像、及び複数の映像を１フレームで構成若しくは時分割した映像は放送用映像であり、前記判定部は入力された映像の形式が切り替わった時点から所定時間の範囲か否かによって判定するよう構成してあることを特徴とする。
【００１３】
本発明によれば、特に放送用映像について、映像形式の判定をより正確に行うことができる。
【００１４】
本発明に係る映像変換装置は、前記入力された２次元映像、及び複数の映像を１フレームで構成若しくは時分割した映像は記録媒体に記録された映像を再生した映像であり、前記判定部は入力された映像が開始した時点から所定時間の範囲か否かによって判定するよう構成してあることを特徴とする。
【００１５】
本発明によれば、特に記録媒体に記録された映像について、映像形式の判定をより正確に行うことができる。
【００１６】
本発明に係る映像表示装置は、前述の映像変換装置と、該映像変換装置により出力された前記２次元映像及び前記３次元眼鏡を通じて見るための方式の映像を表示する表示部とを備えることを特徴とする。
【００１７】
本発明によれば、前述した効果を映像表示装置にて実現することができる。
【００１８】
本発明に係るテレビ受像装置は、テレビ放送波の映像信号が入力されるチューナ部と、前記チューナ部に入力された前記テレビ放送波の映像信号に係る映像の変換を行い、前記２次元映像及び前記３次元眼鏡を通じて見るための方式の映像を表示する映像表示装置とを備えることを特徴とする。
【００１９】
本発明によれば、前述した効果をテレビ受像装置にて実現することができる。
【００２０】
本発明に係る映像変換方法は、入力された２次元映像、及び複数の映像を１フレームで構成若しくは時分割した映像により構成する所定の方式であって複数の映像に視差がある映像を、２次元映像又は３次元眼鏡を通じて見るための方式の映像に変換して出力する映像変換方法において、２次元映像又は３次元眼鏡を通じて見るための方式の映像のいずれを出力するかの設定を切り替える映像切替ステップと、入力された２次元映像、及び複数の映像を１フレームで構成若しくは時分割した映像により構成する所定の方式であって複数の映像に視差がある映像を、３次元眼鏡を通じて見るための方式の映像に変換する変換ステップと、前記映像切替ステップが３次元眼鏡を通じて見るための方式の映像を出力するよう設定した場合には、前記入力された映像を前記変換ステップにより変換した、前記３次元眼鏡を通じて見るための方式の映像を出力し、２次元映像を出力するよう設定した場合には、２次元映像を出力する出力ステップとを備えることを特徴とする。
【００２１】
本発明によれば、３次元眼鏡を通じて見る方式の映像を表示するか又は２次元映像を表示するかを、映像を見る者が決定することができる。
【００２２】
本発明に係るコンピュータプログラムは、コンピュータに入力された２次元映像、及び複数の映像を１フレームで構成若しくは時分割した映像により構成する所定の方式であって複数の映像に視差がある映像を、２次元映像又は３次元眼鏡を通じて見るための方式の映像に変換して出力するコンピュータプログラムにおいて、２次元映像又は３次元眼鏡を通じて見るための方式の映像のいずれを出力するかの設定を切り替える映像切替ステップと、入力された２次元映像、及び複数の映像を１フレームで構成若しくは時分割した映像により構成する所定の方式であって複数の映像に視差がある映像を、３次元眼鏡を通じて見るための方式の映像に変換する変換ステップと、前記映像切替ステップが３次元眼鏡を通じて見るための方式の映像を出力するよう設定した場合には、前記入力された映像を前記変換ステップにより変換した、前記３次元眼鏡を通じて見るための方式の映像を出力し、２次元映像を出力するよう設定した場合には、２次元映像を出力する出力ステップとをコンピュータに実行させることを特徴とする。
【００２３】
本発明によれば、３次元眼鏡を通じて見る方式の映像を表示するか又は２次元映像を表示するかを、映像を見る者が決定することができる。
【発明の効果】
【００２４】
本発明によれば、入力された２次元映像、及び複数の映像を１フレームで構成若しくは時分割した映像により構成する所定の方式であって複数の映像に視差のある映像を、３次元眼鏡を通じて見るための方式の映像に変換することができる。
【図面の簡単な説明】
【００２５】
【図１】第１の実施の形態に係るテレビ受像装置を示すブロック図である。
【図２】制御部による映像の変換を示す模式図である。
【図３】第１の実施の形態における制御部の処理手順を示すフローチャートである。
【図４】表示部に文書が表示される際の映像を示す模式図である。
【図５】本実施の形態の他の例における制御部の処理を示すフローチャートである。
【図６】制御部が映像形式を決定する処理を示すフローチャートである。
【図７】第２の実施の形態における制御部の処理手順を示すフローチャートである。
【図８】入力されたフレームの映像形式の決定結果を示す説明図である。
【図９】第３の実施の形態に係る制御部の処理手順を示すフローチャートである。
【図１０】第４の実施の形態におけるテレビ受像装置を示すブロック図である。
【発明を実施するための形態】
【００２６】
第１の実施の形態
本実施の形態に係るテレビ受像装置の構成について説明する。図１は、第１の実施の形態に係るテレビ受像装置を示すブロック図である。
【００２７】
制御部１は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｏｒ  Ｕｎｉｔ）等であり、映像を処理するためのプログラムが記憶されたメモリ及び映像に係るデータを処理できる演算回路等を備え、ＲＯＭ２に予め格納されている制御プログラムを適宜ＲＡＭ３に読み出して実行する。その他、制御部１は、それぞれバスを介して相互に接続されたＲＯＭ２、ＲＡＭ３、映像記憶部４、チューナ５、同期信号送信部６、タイミングコントローラ７の動作を制御する。
【００２８】
ＲＯＭ２は、書き込み及び消去可能なＥＰＲＯＭ（Ｅｒａｓａｂｌｅ  Ｐｒｏｇｒａｍｍａｂｌｅ  ＲＯＭ）又はフラッシュメモリ等であり、映像変換装置が動作するために必要な種々の制御プログラムを予め格納してある。
【００２９】
ＲＡＭ３は、ＳＲＡＭ又はフラッシュメモリ等であり、制御部１による制御プログラムの実行時に発生する種々のデータを一時的に記憶する。
【００３０】
図示しない放送波受信アンテナから、テレビ放送波の信号がチューナ５に入力された場合、制御部１は、テレビ放送波の信号を映像に係るデータに変換し、ＲＡＭ又はフラッシュメモリ等で構成される映像記憶部４に記憶する。
【００３１】
入力される映像は、１つの映像が１つのフレーム全体で表現されている通常の２次元映像又は３次元映像を表示するための方式の一つであるサイドバイサイド方式の映像である。
【００３２】
サイドバイサイド方式の映像は、１フレームの半分の画素数の２つの映像を１フレーム内に水平方向に並置した映像であり、並置した２つの映像を２つに分離した後、分離した映像を１フレーム分の画素数になるよう画素を補間することにより、２つのフレームの映像に変換することができる。
【００３３】
サイドバイサイド方式の映像より変換された２つのフレームの映像の一方を右目用映像他方を左目用映像とする。２つのフレームの映像に視差がある場合、右目用映像が表示されている時間には３次元眼鏡の左目側のシャッターを閉じ、左目用映像が表示されている時間には３次元眼鏡の右目側のシャッターを閉じることにより、３次元眼鏡をかけて映像を見る者に映像の奥行を感得させる。
【００３４】
従ってサイドバイサイド方式であって、構成する２つの映像に視差がある映像は、前述した変換を行い、３次元眼鏡を通じて見ることにより、奥行を感得できる３次元映像にすることができる。
【００３５】
入力される映像が地上デジタル放送又はＢＳデジタル放送等の映像である場合は、限定受信方式（Ｂ−ＣＡＳ：ＢＳ  Ｃｏｎｄｉｔｉｏｎａｌ  Ａｃｃｅｓｓ  Ｓｙｓｔｅｍ）の標準暗号であるＭＵＬＴＩ２で暗号化されているので、暗号を解除する。この地上デジタル放送又はＢＳデジタル放送等の映像の形式は、ＭＰＥＧ−２ＴＳ（Ｍｏｖｉｎｇ  Ｐｉｃｔｕｒｅ  Ｅｘｐｅｒｔ  Ｇｒｏｕｐ  ｐｈａｓｅ２  ｔｒａｎｓｐｏｒｔ  ｓｔｒｅａｍ）又はＨ．２６４等の圧縮された形式である。制御部１はこれらの形式の映像に係るデータをビットマップデータに伸長して、映像記憶部４に記憶させる。なお、入力される映像の１秒間のフレーム数は６０ｐとする。
【００３６】
次に、制御部１は、サイドバイサイド方式であって視差がある映像における１フレーム内の２つの映像を分離して２つのフレームの映像に変換する。一方、２次元映像は、後述する処理を行い、通常の２次元映像を視差が無いサイドバイサイド方式の映像に変換し、さらに変換した視差が無いサイドバイサイド方式の１フレーム内の２つの映像を分離して２つのフレームの映像に変換する。図２は制御部１による映像の変換を示す模式図であり、図２Ａはサイドバイサイド方式であって視差がある映像が、図２Ｂは２次元映像が夫々変換される様子を示す。視差が無いサイドバイサイド方式の映像を変換して２つのフレームにした映像は、３次元眼鏡を通じて見た場合であっても、奥行を感得することはできない２次元映像である。
【００３７】
２次元映像をサイドバイサイド方式の映像に変換する理由は、サイドバイサイド方式であって視差がある映像とフレームレートを揃えることで表示部８の映像表示に遅延が生じないようにするためである。すなわち、制御部１が出力した映像は、映像を表示するタイミングを制御するタイミングコントローラ７に入力される。タイミングコントローラ７は、制御部１が定めるフレームレートに従ったタイミングで、表示部８に映像を表示させる。映像を表示させる際、フレームレートが異なる映像を連続して表示する場合には、タイミングコントローラ７の設定の切替に時間を要し、映像を表示させるための処理が遅延する。そこで２次元映像からサイドバイサイド方式の映像を作成し、映像形式を揃えることにより、タイミングコントローラ７の設定の切替を不要にすることができる。また、２次元映像と判定された映像を、視差がないサイドバイサイド方式の映像に変換するので、映像に視差を設けるための処理を必要とせず、簡易な処理で疲労感の無い映像に変換することができる。
【００３８】
制御部１は、同期信号送信部６が等間隔で毎秒１２０回、表示部８に表示される映像を見るための図示しない３次元眼鏡に同期信号を送信するよう制御する。同期信号は毎秒１２０回のうち、６０回は右目側シャッターを、６０回は左目側シャッターを交互に閉じさせるよう３次元眼鏡を制御する。表示部８は、制御部１によって変換された映像を表示する。
【００３９】
次に、制御部１の処理手順についてさらに説明する。図３は第１の実施の形態における制御部１の処理手順を示すフローチャートである。
【００４０】
制御部１は、映像記憶部４に記憶された映像に係るデータをフレーム単位で順次読み出す（ステップＳ１１）。ここで、放送波には、通常の２次元映像か視差があるサイドバイサイド方式の映像かを決定するための識別子が含まれる。従って制御部１は、映像に係るデータに含まれる識別子に係るデータを読み出すことにより映像形式が２次元映像か視差があるサイドバイサイド方式の映像かを決定する（ステップＳ１２）。制御部１は、決定結果により、２次元映像か視差があるサイドバイサイド方式の映像かを判定する（ステップＳ１３）。制御部１は決定結果に係るデータと共に、映像に係るデータを時系列にＲＡＭ３に記憶させる。
【００４１】
制御部１は、映像が通常の２次元映像である場合は（ステップＳ１３でＹＥＳ）、視差が無いサイドバイサイド方式の映像に変換する。すなわち、フレームの画素を１列おきに間引きして半分の画素数である映像を作成し（ステップＳ１４）、作成した半分の画素数の映像を複製する（ステップＳ１５）。続いて、作成及び複製した半分の画素数である２つの同じ映像を、１つのフレーム内に水平方向に並置した、視差が無いサイドバイサイド方式の映像になるよう合成する（ステップＳ１６）。この視差が無いサイドバイサイド方式の映像は、複製された映像を用いているので、映像の内容によらず常に視差が生じない。
【００４２】
続いて、２つの映像が並置された１フレームの映像を相前後する２つのフレームの映像に変換する。まず、制御部１は、視差が無いサイドバイサイド方式の映像に係る水平方向に２つ並置した映像を分離する（ステップＳ１７）。同様に視差があるサイドバイサイド方式の映像である場合も（ステップＳ１３でＮＯ）、水平方向に２つ並置した映像を分離する（ステップＳ１７）。制御部１は、分離した映像の、隣接する両者の列の画素の画素値の平均値を取ることにより補間する画素の画素値を算出し（ステップＳ１８）、水平方向の画素数が２倍になるよう補間する（ステップＳ１９）。これにより、２つの映像が並置された１フレームの映像が相前後する２つのフレームの映像に変換される。
【００４３】
さらに、制御部１は、映像の各フレームを複製して２倍の数にするいわゆる２度書きを行う（ステップＳ２０）。
【００４４】
制御部１は、１秒間のフレーム数を２４０とするようタイミングコントローラ７を制御する（ステップＳ２１）。また、制御部１は、同期信号送信部６を制御し、同期信号を送信させる（ステップＳ２２）。同期信号により、出力された映像の各フレームのうち２度書きした２度目のフレームを表示するタイミングに合わせて、右目用映像が表示されている時間には左目用のシャッターのみが閉じ、左目用映像が表示されている時間には右目用のシャッターのみが閉じるよう、３次元眼鏡が制御される。
【００４５】
制御部１は、変換した映像を、タイミングコントローラ７に出力する（ステップＳ２３）。タイミングコントローラ７は表示部８に３次元眼鏡を通じて見る方式の２次元映像及び３次元映像を表示させる。
【００４６】
なお、本実施の形態にて２度書きを行う理由はクロストークを防止するためである。例えば、表示部８が左目用映像を表示してから間隔を置かずに右目用映像を表示する場合、表示部８を構成する発光体が発した左目用映像を表示する光が完全に消える前に右目用映像を表示する光を発するため、表示部８は二重像を表示する。
【００４７】
従って２度書きを行い、２つの同じフレームのうち、１つ目のフレームは表示部８の図示しないバックライトを消すことにより表示させず、２つ目のフレームのみを表示することによってクロストークの問題を解決する。
【００４８】
なお、制御部１は、入力されるテレビ放送波の信号がアナログ映像の信号である場合は、映像に係るデータに変換する。
【００４９】
制御部１は、入力された映像の広告用映像は２次元映像であり、本編は視差があるサイドバイサイド方式の映像である場合はＥＰＧ（Ｅｌｅｃｔｒｏｎｉｃ  Ｐｒｏｇｒａｍ  Ｇｕｉｄｅ）の信号を受信することにより２次元映像か３次元映像かを判定してもよい。
【００５０】
制御部１は、例えば視差が無いサイドバイサイド方式の映像及び視差があるサイドバイサイド方式の映像を先に２度書きし、その後に視差が無いサイドバイサイド方式の映像及び視差があるサイドバイサイド方式の映像を分離する変換を行うようにしてもよい。また、制御部１は、２度書きを行う代わりに前後のフレームを補間する映像を作成してもよい。
【００５１】
制御部１は、２次元映像を視差が無いサイドバイサイド方式の映像に変換するにあたり、必ずしも半分の画素数の映像の複製を行う必要はなく、例えば、１つのフレームの映像の画素を半分に間引きした映像及び該映像の作成において間引かれた画素を用いて作成した映像の２つの映像を用いて、サイドバイサイド方式の映像に変換してもよい。
【００５２】
制御部１は、タイミングコントローラ７に制御信号を送信することにより、表示部８に文章を表示させるＯＳＤ（Ｏｎ−Ｓｃｒｅｅｎ  Ｄｉｓｐｌａｙ）機能を備えてもよい。図４は表示部８に文書が表示される際の映像を示す模式図である。例えば、視差が無いサイドバイサイド方式の映像が表示部８に表示されている場合は、図４Ａに示すように、表示部８に「２次元の映像を検出しましたが、眼鏡をかけたままご覧下さい。」と表示させるようにしてもよい。一方、３次元映像が表示部８に表示されている場合は図４Ｂに示すように、「３次元の映像を検出しました。眼鏡をかけてご覧下さい。」と表示させるようにしてもよい。
【００５３】
表示部８は、テレビ画面の他、情報処理端末のモニタの他、携帯電話機、ＰＤＡ、ブックリーダ、ゲーム機又は音楽プレーヤのディスプレイ等であってもよい。
【００５４】
なお、入力される視差がある映像及び制御部１により変換する映像の方式はサイドバイサイド方式に限らず、垂直方向の解像度を半分にし、垂直方向に重畳したトップアンドボトム方式並びに走査線の１行ごとに左目用映像及び右目用映像を配置するラインバイライン方式等の複数の映像を１フレームで構成した方式の他、時間方向に左目用映像及び右目用映像を重畳し、時分割したフレームシーケンシャル方式でもよい。
【００５５】
フレームシーケンシャル方式の映像が入力される場合の制御部１の処理について説明する。図５は本実施の形態の他の例における制御部１の処理を示すフローチャートである。制御部１は、映像記憶部４に記憶された映像に係るデータをフレーム単位で順次読み出す（ステップＳ３１）。制御部１は、映像形式が２次元映像か視差があるフレームシーケンシャル方式の映像かを決定する（ステップＳ３２）。制御部１は、決定結果により、２次元映像か視差があるフレームシーケンシャル方式の映像かを判定する（ステップＳ３３）。制御部１は決定結果に係るデータと共に、映像に係るデータを時系列にＲＡＭ３に記憶させる。制御部１は、映像が通常の２次元映像と判定した場合は（ステップＳ３３でＹＥＳ）、各フレームの映像を複製する（ステップＳ３４）。制御部１は、複製された映像及びフレームシーケンシャル方式の映像と判定された（ステップＳ３３でＮＯ）映像を複製して２倍の数にする、いわゆる２度書きを行う（ステップＳ３５）。
【００５６】
制御部１は、１秒間のフレーム数を２４０とするようタイミングコントローラ７を制御する（ステップＳ３６）。また、制御部１は、同期信号送信部６を制御し、同期信号を送信させる（ステップＳ３７）。制御部１は、変換した映像を、タイミングコントローラ７に出力する（ステップＳ３８）。
【００５７】
また、映像形式の判定にあたり、映像の時間を判定の要素に加えてもよい。放送用の映像は、番組本編の映像が３次元映像であり、広告用映像が２次元映像である場合、又は番組本編の映像が２次元映像であり、広告用映像が３次元映像である場合が考えられる。広告用映像が放送される時間は１５秒、３０秒又は６０秒等１５秒単位の長さであることが多いため、映像の形式が２次元映像からサイドバイサイド方式の映像に又はサイドバイサイド方式の映像から２次元映像に切り替わった場合には、切り替わった時点から１５秒の倍数の時間後に元の映像に戻る可能性が高い。
【００５８】
図６は制御部１が映像形式を決定する処理を示すフローチャートである。制御部１は、まず映像が２次元映像又は視差があるサイドバイサイド方式の映像の一方から他方に切り替わったことがあるか否かを判定する（ステップＳ１２１）。映像が２次元映像又は視差があるサイドバイサイド方式の映像の一方から他方に切り替わったことがある場合は（ステップＳ１２１でＹＥＳ）、切り替わった時点からの時間から所定時間の範囲内か否かの判定を行う（ステップＳ１２２）。所定時間の範囲とは、例えば１５秒の倍数である１５秒、３０秒、４５秒…の前後であり、具体的には１４．８秒から１５．２秒まで、２９．８秒から３０．２秒まで、４４．８秒から４５．２秒まで…の範囲である。以前に切り替わったことが無い場合は（ステップＳ１２１でＮＯ）、識別子があるか否かを判定する（ステップＳ１２３）。
【００５９】
この所定時間の範囲内である場合には（ステップＳ１２２でＹＥＳ）、ステップＳ１２３に進む。サイドバイサイド方式の映像を示す識別子がある場合には（ステップＳ１２３でＹＥＳ）、サイドバイサイド方式の映像であると決定する（ステップＳ１２４）。サイドバイサイド方式の映像を示す識別子が無い場合には（ステップＳ１２３でＮＯ）２次元映像であると決定する（ステップＳ１２５）。所定時間の範囲外である場合は（ステップＳ１２２でＮＯ）、繰り返し所定時間の範囲内であるか否かの判定を行う（ステップＳ１２２に戻す）。これにより映像形式を正確に判定することができる。
【００６０】
なお、斯かる処理は、以前に映像が切り替わってから所定の時間まで繰り返し行うようにしてもよい。この場合の所定の時間とは連続して流れる一連の広告用映像が終了する時点であり、例えば、映像形式が切り替わった時点から１８０秒後である。
【００６１】
本実施の形態によれば、通常の２次元映像をサイドバイサイド方式等の映像に変換するので、制御部１は、映像が通常の２次元映像であるか視差があるサイドバイサイド方式の映像であるかに関わらず、３次元眼鏡を通じて映像を見る場合に３次元眼鏡のシャッターが適宜下りる形式の映像に変換する。
【００６２】
従って、簡易な処理によって、３次元眼鏡をかけて映像を見る者に２次元映像及び３次元映像の輝度を同等に感じさせ、映像を見る者が疲労感なく２次元映像及び３次元映像が連続する映像を見ることができる。
【００６３】
第２の実施の形態
第２の実施の形態について説明する。本実施の形態では、制御部１が変換を行う対象となる映像は、ＤＶＤやブルーレイディスク（登録商標）等の記録媒体に記録された映像を再生する再生装置から入力される映像である。
【００６４】
この場合、放送波の映像と異なり、映像に通常の２次元映像であるか視差があるサイドバイサイド方式の映像であるかを判定するための識別子やＥＰＧの信号が含まれていない。
【００６５】
本実施の形態では、前述した映像の形式を決定する処理手順にて、ステップＳ１２の処理手順を行う代わりに、２次元映像及び視差があるサイドバイサイド方式の映像のフレーム数を計数することにより、このような場合でも通常の２次元映像か視差があるサイドバイサイド方式の映像かを決定する。
【００６６】
なお、記録媒体に記録された映像の形式は、ＭＰＥＧ−２、ＭＰＥＧ−４又はＨ．２６４等の圧縮された形式である。制御部１はこれらの形式の映像を伸長して、映像に係るデータを映像記憶部４に記憶させる。
【００６７】
本実施の形態における制御部１が通常の２次元映像であるか視差があるサイドバイサイド方式の映像であるかを判定する処理手順について説明する。図７は第２の実施の形態における制御部１の処理手順を示すフローチャートである。
【００６８】
制御部１は、映像記録部４に記録された映像のデータを読み出し、フレーム内の映像を水平方向の中央で２分割し、分割された両者の映像が類似しているか否かによって判定する。
【００６９】
すなわち視差があるサイドバイサイド方式の映像は、映像の構成がほぼ同じであり、視差があるために被写体の位置が多少異なる映像が水平方向に２つ並置されているため、映像を２つに分けた場合、一方と他方とは非常に類似していると考えられる。一方、２次元映像を２つに分けた場合、一方と他方とは類似していないことが多い。従って、映像を２つに分けた場合、一方と他方とを比較することにより、映像が通常の２次元映像であるか視差があるサイドバイサイド方式の映像であるかを決定することができる。比較にあたっては各画素の輝度を比較し、輝度の差の総和が所定値以上か否かによっていずれの形式であるかを決定する。
【００７０】
ただし、２次元映像であっても、例えば一面が空の映像であるような場合は、映像を２つに分けた場合、一方と他方とは類似することがある。従って予めフレーム数Ｎ及びフレーム数Ｔｈ１を設定し、ＮフレームのうちＴｈ１フレーム以上２次元映像のフレームであるか否かによって通常の２次元映像であるか視差があるサイドバイサイド方式の映像であるかを決定する。
【００７１】
本実施の形態におけるフレームの画素数を１９２０×１０８０とし、ｘ行ｙ列の画素を（ｘ，ｙ）で表す。（１）式に示すように画素（０，０）の画素値Ｆ（０，０）と画素（９６０，０）の画素値Ｆ（９６０，０）を比較し、差分の絶対値を求める。続いて行方向に１つ走査して、画素値Ｆ（１，０）と画素値Ｆ（９６１，０）との差分の絶対値を求める…、という手順を画素値Ｆ（９５９，１０７９）と画素値Ｆ（１９１９，１０７９）との差分を求めるまで繰り返す。
【００７２】
【数１】
2013098878.tif 000003
【００７３】
すなわち、制御部１は画素値の差分を比較していない画素があるかないかを判定し（ステップＳ３０１）、画素値の差分を比較していない画素がある場合は（ステップＳ３０１でＹＥＳ）、行の値が９５９以下の映像の画素と、行の値にフレームの行方向の画素の半分である９６０を加えた画素の画素値の差分を算出する（ステップＳ３０２）。画素値の差分を算出するとステップＳ３０１に戻す。制御部１が全ての画素の画素値の差分を比較した場合は（ステップＳ３０１でＮＯ）、差分の絶対値の総和である絶対差分和Ｄを算出する（ステップＳ３０３）。
【００７４】
この絶対差分和Ｄが閾値Ｔｈ１以上であるか否かによって、絶対差分和Ｄを算出した１フレームの映像が２次元映像であるか視差があるサイドバイサイド方式の映像であるかの映像形式を決定し（ステップＳ３０４）、決定結果をＲＡＭ３に記憶させる（ステップＳ３０５）。図８は入力されたフレームの映像形式の決定結果を示す説明図である。図８では、１６フレーム中５フレームが２次元映像のフレームであり、１１フレームが視差があるサイドバイサイド方式の映像のフレームである。
【００７５】
続いて制御部１は、ＲＡＭ３に記憶させた決定結果を計数し、決定結果が予め定められたフレーム数Ｎ以上あるか否かを判定する（ステップＳ３０６）。決定結果の全てのフレーム数がＮ未満である場合は（ステップＳ３０６でＮＯ）、次のフレームの映像を選択して（ステップＳ３０７）、処理をステップＳ３０１に戻す。
【００７６】
決定結果がＮ以上のフレーム数ある場合は（ステップＳ３０６でＹＥＳ）、直近のＮフレームのうち２次元映像のフレーム数が所定値Ｔｈ２以上あるか否かを判定する（ステップＳ３０８）。
【００７７】
直近のＮフレームのうちの決定結果のうち、２次元映像のフレーム数を計数した結果が予め設定された値Ｔｈ２以上ある場合は（ステップＳ３０８でＹＥＳ）、映像は２次元映像であると決定して（ステップＳ３０９）、映像の形式を決定する処理を終える。一方Ｔｈ２未満である場合は（ステップＳ３０８でＮＯ）、視差があるサイドバイサイド方式の映像であると決定して（ステップＳ３１０）、映像の形式を決定する処理を終える。
【００７８】
なお、本実施の形態にて入力される映像は、通信装置から入力される通信波の映像でもよい。また、１フレームを構成する画素数は任意の数でよい。
【００７９】
また、映像形式の判定にあたり、映像の時間を判定の要素に加えてもよい。記録媒体に記録された映像を再生した映像は、制作会社を示す２次元映像が最初に流れ、その後に本編の３次元映像が流れる場合が多い。従って記録媒体の映像が開始してから一定の期間（例えば２０秒から１分の間）は常に２次元映像であるとして、常に視差の無いサイドバイサイド方式の映像に変換し、一定の時間経過後に本実施の形態による映像形式の判定を行うようにしてもよい。また、該一定の期間にも映像形式の判定を行うが、その場合はＮフレーム中２次元映像のフレーム数が、所定値Ｔｈ２より小さな値である所定値Ｔｈ３以上の場合に、２次元映像であると判定するようにしてもよい。これにより映像形式を正確に判断することができる。
【００８０】
さらに、記録媒体に記録された映像が映画である場合、映像は全編に渡って２次元映像又はサイドバイサイド方式等の映像であり、途中で切り替わらないのが通常である。従って、記録媒体の映像が開始してから一定の期間（例えば３分以内）を経過した後は、映像形式の判定を行わないようにしてもよい。
【００８１】
本実施の形態によれば、映像のフレーム数に基づいて２次元映像か視差があるサイドバイサイド方式の映像かを判定するので、識別子やＥＰＧの信号が無い場合でも両者を区別することができる。
【００８２】
第３の実施の形態
第３の実施の形態について説明する。第３の実施の形態は、表示する映像を手動で切り替える。
【００８３】
映像を見る者は、表示部８が通常の２次元映像を２次元映像のまま表示することを望み、前述した視差が無いサイドバイサイド方式に変換した映像の表示を望まない場合もある。
【００８４】
こうした場合に対処するために表示部８が表示する映像を２次元映像又は３次元眼鏡を通じて見る方式の映像に切り替える映像切替部９を備え、入力された映像が通常の２次元映像及びサイドバイサイド方式の映像のいずれであっても、常に２次元映像又は３次元眼鏡を通じて見る方式の２次元映像及び３次元映像を表示する。
【００８５】
図９は第３の実施の形態に係る制御部１の処理手順を示すフローチャートである。映像切替部９は、映像切替信号が送信されることにより（ステップＳ４１）、映像切替信号に従って、２次元映像又は３次元眼鏡を通じて見る方式の映像を表示するよう制御部１に指示信号を送信する（ステップＳ４２）。映像切替信号は例えば映像を見る者が、図示しないリモートコントローラにおけるボタンを押下することにより送信され、映像切替部９にて受信する。
【００８６】
制御部１は映像切替信号を読み出し、映像切替信号がＯＮ信号か否かを判定する（ステップＳ４３）。映像切替信号にはＯＮ信号とＯＦＦ信号とがあり、ＯＮ信号の場合には（ステップＳ４３でＹＥＳ）、映像切替部９は表示部８に３次元眼鏡を通じて見る方式の映像を表示するよう指示信号を送信し、さらに制御部１は、Ｓ１１からＳ２３までと同様の処理を行い、入力された映像を３次元眼鏡を通じて見る方式の映像へ変換し、変換した映像をタイミングコントローラ７に出力する（ステップＳ４４からＳ５６まで）。入力された映像が２次元映像であれば、視差が無い３次元眼鏡を通じて見る方式の映像に変換し、入力された映像がサイドバイサイド方式の映像であれば、３次元映像に変換する。
【００８７】
一方、ＯＮ信号ではなくＯＦＦ信号の場合には（ステップＳ４３でＮＯ）、制御部１は、入力された映像から３次元眼鏡を通じて見る方式の映像への変換を行わない。この場合には、映像切替部９は表示部８に２次元映像を表示するよう指示信号を送信し、制御部１は入力された映像をタイミングコントローラ７に出力する（ステップＳ５６）。この場合、既存の処理により、入力された映像が通常の２次元映像及びサイドバイサイド方式の映像のいずれであっても表示部８は２次元映像を表示する。
【００８８】
本実施の形態によれば、第１の実施の形態にて述べたような３次元眼鏡を通じて見る方式の映像を表示するか又は２次元映像を表示するかを、映像を見る者が決定することができる。
【００８９】
第４の実施の形態
図１０は第４の実施の形態におけるテレビ受像装置を示すブロック図である。制御部１を動作させるためのプログラムは、ディスクドライブ等の読取部１０に、ＣＤ−ＲＯＭ、ＤＶＤディスクまたはＵＳＢメモリ等の可搬型記録媒体２１を読み取らせてＲＯＭ２に記憶してもよい。また、当該プログラムを記憶したフラッシュメモリ等の半導体メモリ２２を制御部１内に実装してもよい。
【００９０】
さらに当該プログラムは、インターネット等の通信網Ｎを介して通信部１１と接続される図示しない他のサーバコンピュータからダウンロードすることも可能である。
【００９１】
制御部１は、上述した各種ソフトウェア処理を実行するプログラムを可搬型記録媒体又は半導体メモリから読み取り、或いは、通信網Ｎを介して図示しない他のサーバコンピュータからダウンロードする。当該プログラムは制御プログラムとしてインストールされ、ＲＯＭ２にロードして実行される。これにより、上述した制御部１として機能する。
【００９２】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００９３】
１  制御部
２  ＲＯＭ
３  ＲＡＭ
４  映像記憶部
５  チューナ
６  同期信号送信部
７  タイミングコントローラ
８  表示部
９  映像切替部
１０  読取部
１１  通信部
２１  可搬型記録媒体
２２  半導体メモリ 
【図１】
2013098878.tif 000004
【図２】
2013098878.tif 000005
【図３】
2013098878.tif 000006
【図４】
2013098878.tif 000007
【図５】
2013098878.tif 000008
【図６】
2013098878.tif 000009
【図７】
2013098878.tif 000010
【図８】
2013098878.tif 000011
【図９】
2013098878.tif 000012
【図１０】
2013098878.tif 000013